(57)【要約】      （修正有）【課題】食物の種類が異なっても、違和感なく兼用で使える食事用具を提供する。【解決手段】食物保持部Ａ１１，Ｂ１１は飾り付き食事用具Ａ１０や飾り付き食事用具Ｂ１０の先端部に設けられ、柄部Ａ１２，Ｂ１２は食物保持部Ａ１１や食物保持部Ｂ１１から所望する長さに延び出たように形成させる。把持部Ａ１３，Ｂ１３は食物保持部Ａ１１や食物保持部Ｂ１１に対向する位置にかつ柄部Ａ１２や柄部Ｂ１２の端部に設ける。装飾部Ａ１４，Ｂ１４は把持部Ａ１３や把持部Ｂ１３の任意部位に設ける。捻り部Ａ１８，Ｂ１８は柄部Ａ１２と把持部Ａ１３の間の細長板状の短方向や柄部Ｂ１２と把持部Ｂ１３の間の細長板状の短方向に約９０度の回転角度が設けられる。【選択図】図１
0003164335.tif 000002
【実用新案登録請求の範囲】
【請求項１】
食物保持部とこの食物保持部から延び出た所望する長さの柄部とこの柄部の端部に把持部を設け全体が一体成形された飲食用の食事用具において、前記把持部に植物をイメージさせる装飾を形成し、前記柄部と前記把持部の間に捻りを形成させる、ことを特徴とする飾り付き食事用具。
【請求項２】
前記食物保持部の端部には、少なくとも一つの切り欠きを設けることを特徴とする、請求項１に記載の飾り付き食事用具。
【請求項３】
前記食物保持部の端部には、少なくとも一つの孔部を設けることを特徴とする、請求項１に記載の飾り付き食事用具。
【請求項４】
前記把持部をスプーンの掬い部のように機能するように形成させることを特徴とする、請求項１から請求項３のいずれかに記載の飾り付き食事用具。
【請求項５】
前記柄部を十分な長さに形成させることで、前記食事用具がマドラーとして機能することを特徴とする、請求項１から請求項４のいずれかに記載の飾り付き食事用具。
【考案の詳細な説明】
【技術分野】
【０００１】  本考案は、食物保持部とこの食物保持部から延び出た所望する長さの柄部とこの柄部の端部に把持部を設け全体が一体成形された飲食用の食事用具において、前記把持部に植物をイメージさせる装飾を形成し、前記柄部と前記把持部の間に捻りを形成させる、ことを特徴とする飾り付き食事用具に関するものである。
【背景技術】
【０００２】  従来より、菓子類を食する場合には、例えば和菓子（例えば、練り菓子（一例として羊羹）、蒸し菓子（一例としてカステラ）、餅菓子、生菓子、半生菓子、干菓子、葛菓子、寒天菓子、など）の場合には、菓子用楊枝、爪楊枝、菓子用フォーク、菓子用スプーン、汎用小型フォーク、汎用小型スプーン、などが市販されており一般的に用いられている。また例えば洋菓子（例えば、ショートケーキ、モンブラン、マカロン、マシュマロ、カスタードプディング、シュークリーム、エクレア、パフェ、サンデー、チョコレート菓子、ゼリー菓子、など）の場合には、菓子用ピック、菓子用フォーク、菓子用スプーン、汎用小型フォーク、汎用小型スプーン、などが市販されており一般的に用いられている。また例えば点心（例えば、饅頭、杏仁豆腐、月餅、など）の場合には、箸、汎用小型フォーク、汎用小型スプーン、などが市販されており一般的に用いられている。また例えば果物または水菓子（例えば、リンゴ、柿、柑橘類、など）の場合には、フルーツ用フォーク、フルーツ用小型スプーン、爪楊枝、汎用小型フォーク、汎用小型スプーン、などが市販されており一般的に用いられている。また例えば氷菓子（例えば、アイスクリーム、シャーベット、など）の場合には、アイスクリーム用小型スプーン、汎用小型スプーン、などが市販されており一般的に用いられている。【０００３】  ところが、例えば和菓子を食する場合に用いられる、菓子用楊枝は汎用性が少なく、和菓子を食する場合以外に用いられることは極めて稀であり、爪楊枝は一般的に使用後に使い捨てにされるためか高級感に欠け高級な和菓子を食する場合に用いられることは極めて稀であり、菓子用フォークや菓子用スプーンや汎用小型フォークや汎用小型スプーンなどは洋菓子にも用いられ汎用性は高いが高級和菓子を食する場合には余り用いられない。
また例えば洋菓子を食する場合に用いられる、菓子用ピックは汎用性が少なく例えば和菓子を食する場合に用いられることは極めて稀であり、菓子用フォークや菓子用スプーンや汎用小型フォークや汎用小型スプーンなどは和菓子にも用いられ汎用性は高いが高級洋菓子を食する場合には余り用いられない。
また例えば点心を食する場合に用いられる箸は、和菓子や洋菓子を食する場合に用いられることは極めて稀であり、汎用小型フォークや汎用小型スプーン、などは汎用性は高いが高級点心を食する場合には余り用いられない。
また例えば果物または水菓子を食する場合に用いられるフルーツ用フォークやフルーツ用小型スプーン、などが和菓子や洋菓子や点心を食する場合に用いられることは極めて稀であり、爪楊枝は一般的に使用後に使い捨てにされるためが高級感に欠け高級な果物または水菓子を食する場合に用いられることは極めて稀であり、汎用小型フォークや汎用小型スプーン、などは汎用性は高いが高級果物または高級水菓子を食する場合には余り用いられない。
また例えば氷菓子を食する場合に用いられるアイスクリーム用小型スプーンを、和菓子や洋菓子や点心を食する場合に用いられることは極めて稀であり、汎用小型スプーンは汎用性は高いが高級氷菓子を食する場合には余り用いられない。【０００４】  また、上述した和菓子を食する場合に用いられる、菓子用楊枝は、細長板状で一端部には和菓子の所望する部分を切断する切断部やこの切断部の先端部には和菓子の切片を突き刺して保持しながら口まで運ぶための鋭利部や、この鋭利部に対向する位置にある他端部には把持部が設けられているタイプが多い。
また、上述した和菓子を食する場合に用いられる、爪楊枝は、細長棒状で一端部には和菓子の切片を突き刺して保持しながら口まで運ぶための鋭利部や、この鋭利部に対向する位置にある他端部には把持部が設けられているタイプが多く、またこの鋭利部が和菓子の所望する部分を切断する切断部を兼用している場合が多いことや使い捨てにされる場合が多い。
また、上述した和菓子を食する場合に用いられる、菓子用フォークは、通常の食事に用いられるフォークを小型にして全体のイメージが和風を感じさせるように形成させたタイプが多く、特に把持部に和風のテイストで、かつ和菓子の切片を突き刺して保持しながら口まで運ぶための鋭利部が２ピースで、またこの鋭利部が和菓子の所望する部分を切断する切断部を兼用している場合が多いことが知られている。
また、上述した和菓子を食する場合に用いられる、菓子用スプーンは、通常の食事に用いられるスプーンを小型にして全体のイメージが和風を感じさせるように形成させたタイプが多く、特に把持部に和風のテイストで、かつ和菓子の切片を掬い取り保持しながら口まで運ぶための掬い部の端部を和菓子の所望する部分を切断する切断部を兼用させている場合が多いことが知られている。
また、上述した和菓子を食する場合に用いられる、汎用小型フォークは、通常の食事に用いられるフォークを小型にして和菓子の切片を突き刺して保持しながら口まで運ぶための鋭利部を２ピースにして、全体のイメージが特に和風を感じさせることもなく、またこの鋭利部が和菓子の所望する部分を切断する切断部を兼用している場合が多いことが知られている。
また、上述した和菓子を食する場合に用いられる、汎用小型スプーンは、通常の食事に用いられるスプーンを小型にしただけのタイプが多く、全体のイメージが特に和風を感じさせることもなく、また和菓子の切片を掬い取り保持しながら口まで運ぶための掬い部の端部を和菓子の所望する部分を切断する切断部を兼用させている場合が多いことが知られている。【０００５】  また、上述した洋菓子を食する場合に用いられる、菓子用ピックは、細長板状で一端部には洋菓子の所望する部分を切断する切断部やこの切断部の先端部には洋菓子の切片を突き刺して保持しながら口まで運ぶための鋭利部や、この鋭利部に対向する位置にある他端部には把持部が設けられているタイプが多い。
また、上述した洋菓子を食する場合に用いられる、菓子用フォークは、通常の食事に用いられるフォークを小型にして全体のイメージが西洋風を感じさせるように形成させたタイプが多く、特に把持部に西洋風のテイストで、かつ洋菓子の切片を突き刺して保持しながら口まで運ぶための鋭利部が２ピースで、またこの鋭利部が洋菓子の所望する部分を切断する切断部を兼用している場合が多いことが知られている。
また、上述した洋菓子を食する場合に用いられる、菓子用スプーンは、通常の食事に用いられるスプーンを小型にして全体のイメージが西洋風を感じさせるように形成させたタイプが多く、特に把持部に西洋風のテイストで、かつ洋菓子の切片を掬い取り保持しながら口まで運ぶための掬い部の端部を洋菓子の所望する部分を切断する切断部を兼用させている場合が多いことが知られている。
また、上述した洋菓子を食する場合に用いられる、汎用小型フォークは、通常の食事に用いられるフォークを小型にして洋菓子の切片を突き刺して保持しながら口まで運ぶための鋭利部を２ピースにして、全体のイメージが特に西洋風を感じさせることもなく、またこの鋭利部が洋菓子の所望する部分を切断する切断部を兼用している場合が多いことが知られている。
また、上述した洋菓子を食する場合に用いられる、汎用小型スプーンは、通常の食事に用いられるスプーンを小型にしただけのタイプが多く、全体のイメージが特に西洋風を感じさせることもなく、また洋菓子の切片を掬い取り保持しながら口まで運ぶための掬い部の端部を洋菓子の所望する部分を切断する切断部を兼用させている場合が多いことが知られている。【０００６】  また、上述した果物または水菓子を食する場合に用いられる、爪楊枝は、細長棒状で一端部には果物または水菓子の切片を突き刺して保持しながら口まで運ぶための鋭利部や、この鋭利部に対向する位置にある他端部には把持部が設けられているタイプが多く、また使い捨てにされる場合が多い。
また、上述した果物または水菓子を食する場合に用いられる、フルーツ用フォークは、通常の食事に用いられるフォークを小型にして全体のイメージがフルーツまたは涼風を感じさせるように形成させたタイプが多く、特に把持部にフルーツまたは涼風のテイストで、かつ果物または水菓子の切片を突き刺して保持しながら口まで運ぶための鋭利部が２ピースの場合が多いことが知られている。
また、上述した果物または水菓子を食する場合に用いられる、フルーツ用小型スプーンは、通常の食事に用いられるスプーンを小型にして全体のイメージがフルーツまたは涼風を感じさせるように形成させたタイプが多く、例えば把持部にフルーツまたは涼風のイメージを設けたり、例えば果物または水菓子の切片を掬い取り保持しながら口まで運ぶための掬い部にフルーツまたは涼風のイメージを設けたり、する場合が多いことが知られている。
また、上述した果物または水菓子を食する場合に用いられる、汎用小型フォークは、通常の食事に用いられるフォークを小型にして果物または水菓子の切片を突き刺して保持しながら口まで運ぶための鋭利部を２ピースにして、全体のイメージが特にフルーツまたは涼風を感じさせることもないように形成している場合が多いことが知られている。
また、上述した果物または水菓子を食する場合に用いられる、汎用小型スプーンは、通常の食事に用いられるスプーンを小型にしただけのタイプが多く、全体のイメージが特にフルーツまたは涼風を感じさせることもないように形成している場合が多いことが知られている。
また、上述した氷菓子を食する場合に用いられる、アイスクリーム用小型スプーンは、上述した、和菓子用スプーン、洋菓子用スプーン、フルーツ用小型スプーン、などより、容器状に形成されている掬い部より容器状の形態がより浅く又は平たく形成されている場合が多いことが知られている。
また、上述した氷菓子を食する場合に用いられる、汎用小型スプーンは、通常の食事に用いられるスプーンを小型にしただけのタイプが多く、全体のイメージが特に「冷」または「涼」を感じさせることもないように形成している場合が多いことが知られている。【０００７】  また近年では、上述したような従来の菓子用の食事用具の問題点を改良するための開発が成されるようになってきた。
例えばその一例として、一つのスプーンで、つまようじやフォークやマドラーも利用可能にし、しかも、スプーンの製造を容易なものとすることを課題とし、その解決手段として、プラスチックの一体成形品からなるスプーンの柄部に、両端を有する線状かつほぼ環状の切溝を形成して、この切溝の内側にピック部を形成し、このピック部は、切溝の両端間の連結部により柄部の他の部分に繋がっているが、この連結部は、人の手の力で容易に切断可能であり、連結部を切断してピック部を柄部から分離することにより、このピック部をつまようじやフォークとして便利に使え、このピック部は、連結部側に摘み部を有し、反対側に鋭利部を有することを特徴とする食卓用品が知られている。（特許文献１を参照する）【０００８】
【特許文献１】  特開平１１−１５５７１７号公報
【考案の開示】
【考案が解決しようとする課題】
【０００９】  例えば、従来の和菓子用楊枝や和菓子用フォークや和菓子用スプーンなどを洋菓子用に用いても違和感のないようにするにはどうしたらよいか、という消費者からの指摘が知られていたが、現在でもその解決案が見出されていない。
また例えば、従来の洋菓子用ピックや洋菓子用フォークや洋菓子用スプーンなどを和菓子用に用いても違和感のないようにするにはどうしたらよいか、という消費者からの指摘が知られていたが、現在でもその解決案が見出されていない。
また例えば、従来のフルーツ用フォークやフルーツ用小型スプーンなどを和菓子用または洋菓子用に用いても違和感のないようにするにはどうしたらよいか、という消費者からの指摘が知られていたが、現在でもその解決案が見出されていない。
また例えば、従来のアイスクリーム用小型スプーンをフルーツ用フォークやフルーツ用小型スプーンなどを和菓子用または洋菓子用または果物用または水菓子用に用いても違和感のないようにするにはどうしたらよいか、という消費者からの指摘が知られていたが、現在でもその解決案が見出されていない。
また例えば、特許文献１の食卓用品では、プラスチックの一体成形品からなるスプーンの柄部に、両端を有する線状かつほぼ環状の切溝を形成して、この切溝の内側にピック部を形成し、このピック部は、切溝の両端間の連結部により柄部の他の部分に繋がっているが、この連結部は、人の手の力で容易に切断可能であり、連結部を切断してピック部を柄部から分離することにより、このピック部をつまようじやフォークとして便利に使え、このピック部は、連結部側に摘み部を有し、反対側に鋭利部を有することを特徴とするが、この案件が、和菓子用に用いると違和感が感じられ、洋菓子用に用いると高級感に欠けるところが感じられ、果物または水菓子用に用いようとすると中途半端な感じが否めず、また構造が複雑であり、商品化はとても難しい案件だろうという指摘を受けている。【００１０】  そこで、本考案は、上述した問題点を解決しようとするもので、例えば和菓子用にも洋菓子用にも違和感なく兼用で使える食事用具、例えば和菓子用にも果物用または水菓子用にも違和感なく兼用で使える食事用具、例えば洋菓子用にも果物用または水菓子用にも違和感なく兼用で使える食事用具、例えば和菓子用にも氷菓子用にも違和感なく兼用で使える食事用具、例えば洋菓子用にも氷菓子用にも違和感なく兼用で使える食事用具、の提供を目的とする。
【課題を解決するための手段】
【００１１】  課題を解決するための第一の手段（請求項１の内容を含む）は、食物保持部とこの食物保持部から延び出た所望する長さの柄部とこの柄部の端部に把持部を設け全体が一体成形された飲食用の食事用具において、前記把持部に植物をイメージさせる装飾を形成し、前記柄部と前記把持部の間に捻りを形成させる、ことを特徴とする飾り付き食事用具を提供することである。なお、前記柄部に関しては細長板状や細棒状体や細筒状体などの中から選択して単体で用いるか組合わせて用いればよい。【００１２】  課題を解決するための第一の手段で示した食事用具に関しては、皿状体の上に載置された菓子類を、所望する分量に切断したりする機能や、前記切断片を突き刺したりする機能や、前記切断片を掬い上げたりする機能や、口中に移動させたりする機能、などから選択した機能やこれらを組合わせた機能を備えた食事用具であり、例えば和菓子用の食事用具としては、菓子用楊枝、爪楊枝、菓子用フォーク、菓子用スプーン、汎用小型フォーク、汎用小型スプーン、などが一般的に知られているが、特に前記菓子用楊枝は、細長板状で一端部には和菓子の所望する部分を切断する切断部やこの切断部の先端部には和菓子の切片を突き刺して保持しながら口まで運ぶための鋭利部または保持部や、この鋭利部または保持部に対向する位置にある他端部には把持部が設けられているタイプが多い。また前記菓子用フォークは、通常の食事に用いられるフォークを小型にして全体のイメージが和風を感じさせるように形成させたタイプが多く、特に把持部に和風のテイストで、かつ和菓子の切片を突き刺して保持しながら口まで運ぶための鋭利部または保持部が２部分で構成され、またこの鋭利部または保持部が和菓子の所望する部分を切断する切断部を兼用している場合が多いことが知られている。また前記菓子用スプーンは、通常の食事に用いられるスプーンを小型にして全体のイメージが和風を感じさせるように形成させたタイプが多く、特に把持部に和風のテイストで、かつ和菓子の切片を掬い取り保持しながら口まで運ぶための掬い部の端部を和菓子の所望する部分を切断する切断部を兼用させている場合が多いことが知られている。
また例えば洋菓子用の食事用具としては、菓子用ピック、菓子用フォーク、菓子用スプーン、汎用小型フォーク、汎用小型スプーン、などが一般的に知られているが、特に前記菓子用ピックは、細長板状で一端部には洋菓子の所望する部分を切断する切断部やこの切断部の先端部には洋菓子の切片を突き刺して保持しながら口まで運ぶための鋭利部または保持部や、この鋭利部または保持部に対向する位置にある他端部には把持部が設けられているタイプが多い。また、前記菓子用フォークは、通常の食事に用いられるフォークを小型にして全体のイメージが西洋風を感じさせるように形成させたタイプが多く、特に把持部に西洋風のテイストで、かつ洋菓子の切片を突き刺して保持しながら口まで運ぶための鋭利部または保持部が２部分で、またこの鋭利部または保持部が洋菓子の所望する部分を切断する切断部を兼用している場合が多いことが知られている。また前記菓子用スプーンは、通常の食事に用いられるスプーンを小型にして全体のイメージが西洋風を感じさせるように形成させたタイプが多く、特に把持部に西洋風のテイストで、かつ洋菓子の切片を掬い取り保持しながら口まで運ぶための掬い部の端部を洋菓子の所望する部分を切断する切断部を兼用させている場合が多いことが知られている。
また例えば果物または水菓子用の食事用具としては、フルーツ用フォーク、フルーツ用小型スプーン、爪楊枝、汎用小型フォーク、汎用小型スプーン、などが一般的に知られているが、前記フルーツ用フォークは、通常の食事に用いられるフォークを小型にして全体のイメージがフルーツまたは涼風を感じさせるように形成させたタイプが多く、特に把持部にフルーツまたは涼風のテイストで、かつ果物または水菓子の切片を突き刺して保持しながら口まで運ぶための鋭利部または保持部が２部分の場合が多いことが知られている。また前記フルーツ用小型スプーンは、通常の食事に用いられるスプーンを小型にして全体のイメージがフルーツまたは涼風を感じさせるように形成させたタイプが多く、例えば把持部にフルーツまたは涼風のイメージを設けたり、例えば果物または水菓子の切片を掬い取り保持しながら口まで運ぶための掬い部にフルーツまたは涼風のイメージを設けたり、する場合が多いことが知られている。
また例えば氷菓子用の食事用具としては、アイスクリーム用小型スプーン、汎用小型スプーン、などが一般的に知られているが、特に前記アイスクリーム用小型スプーンは、上述した、和菓子用スプーン、洋菓子用スプーン、フルーツ用小型スプーン、などより、容器状に形成されている掬い部より容器状の形態がより浅く又は平たく形成されている場合が多いことが知られている。
また前記食事用具の材質としては、金属製、貴金属製、プラスチック製、木質製、竹製、などの中から選択して単体で用いたり組合わせて用いたりすることができる。【００１３】  課題を解決するための第一の手段で示した植物をイメージさせる装飾に関しては、例えば前記植物としては、樹木、樹木の葉、樹木の花、樹木の果実、などから選択した形象を図案化したもの又はその形象そのままの状態を課題を解決するための第一の手段で示した食事用具の把持部の任意部位に形成させることである。また例えば前記植物としては、花卉、花卉の葉物、花卉の花物、花卉の実物、などから選択した形象を図案化したもの又はその形象そのままの状態を前記把持部の任意部位に形成させることである。また例えば前記植物としては、野菜、野菜の葉物、野菜の花物、野菜の実物、などから選択した形象を図案化したもの又はその形象そのままの状態を課題を解決するための第一の手段で示した食事用具の把持部の任意部位に形成させることである。また例えば前記植物としては、果物類などから選択した形象を図案化したもの又はその形象そのままの状態を課題を解決するための第一の手段で示した食事用具の把持部の任意部位に形成させることである。
課題を解決するための第一の手段で示した前記把持部に前記植物をイメージさせる装飾を形成する手段に関しては、例えば前記食事用具の材質が金属製または貴金属製またはその両方の組み合わせの場合は前記把持部の任意部位に前記植物を形成できるように設計した金型を用いてプレス加工することがコスト的に好ましい。また例えば前記食事用具の材質がプラスチック製の場合は前記把持部の任意部位に前記植物を形成できるように設計した金型を用いて押し出し成形することがコスト的に好ましい。また例えば前記食事用具の材質が木質製または竹製またはその両方の組み合わせの場合は前記把持部の任意部位に前記植物を形成できるように木工加工することがコスト的に好ましい。
課題を解決するための第一の手段で示した前記柄部と前記把持部の間に捻りを形成させることに関しては、前記柄部と前記把持部の間に１度から３６０度の間の任意の角度に回転させるような変化を設けることであり、このような変化を生じさせることで前記柄部と前記把持部の間の強度を向上させることができ、前記食事用具の利用者が前記把持部を把持し前記食事用具を使用する行為を繰り返しても前記食事用具の耐久性を向上させることが可能になる。
課題を解決するための第一の手段で示した前記柄部と前記把持部の間に捻りを形成させる手段に関しては、前記柄部と前記把持部の間に１度から３６０度の間の任意の角度に回転させるような変化を生じさせることができればどんな加工手段を用いても構わない。【００１４】  課題を解決するための第二の手段（請求項２の内容を含む）は、請求項１に記した飾り付き食事用具および課題を解決するための第一の手段で示した内容の飾り付き食事用具において、前記食物保持部の端部には、少なくとも一つの切り欠きを設けることを特徴とするものである。【００１５】  課題を解決するための第二の手段で示した前記食物保持部端部には、少なくとも一つの切り欠きを設けることに関しては、課題を解決するための第一の手段で示した食物保持部に課題を解決するための第一の手段で示した菓子類を所望する分量に切断した後の切断片を突き刺したりする機能を備えたり強化するためであり、この機能を実現するために例えば前記食物保持部端部に一つの切り欠きを設けることで前記食物保持部端部が２部分即ち２分割されるように形成され、また例えば前記食物保持部端部に二つの切り欠きを設けることで前記食物保持部端部が３部分即ち３分割されるように形成され、また例えば前記食物保持部端部に三つの切り欠きを設けることで前記食物保持部端部が４部分即ち４分割されるように形成されることである。また、この場合、例えば前記２分割食物保持部の夫々の分割部位が均等のサイズでも不均等のサイズでも構わないものとする。また例えば前記３分割食物保持部の夫々の分割部位が均等のサイズでも不均等のサイズでも構わないものとする。また例えば前記４分割食物保持部の夫々の分割部位が均等のサイズでも不均等のサイズでも構わないものとする。【００１６】  課題を解決するための第二の手段で示した前記食物保持部端部には、少なくとも一つの切り欠きを設ける手段に関しては、例えば前記２分割食物保持部の形成手段に関しては、例えば課題を解決するための第一の手段で示した食事用具の材質が金属製または貴金属製またはその両方の組み合わせの場合は、前記食物保持部端部に前記２分割食物保持部を形成できるように設計した金型を用いてプレス装置を介してプレス加工してもよい。また例えば課題を解決するための第一の手段で示した食事用具の材質がプラスチック製の場合は、前記食物保持部端部に前記２分割食物保持部を形成できるように設計した金型を用いて押し出し成型装置を介して押し出し成形してもよい。また例えば課題を解決するための第一の手段で示した食事用具の材質が木質製または竹製またはその両方の組み合わせの場合は、前記食物保持部端部に前記２分割食物保持部を形成できるように切削装置を介して切削加工してもよい。
また例えば前記３分割食物保持部の形成手段に関しては、例えば課題を解決するための第一の手段で示した食事用具の材質が金属製または貴金属製またはその両方の組み合わせの場合は、前記食物保持部端部に前記３分割食物保持部を形成できるように設計した金型を用いてプレス装置を介してプレス加工してもよい。また例えば課題を解決するための第一の手段で示した食事用具の材質がプラスチック製の場合は、前記食物保持部端部に前記３分割食物保持部を形成できるように設計した金型を用いて押し出し成型装置を介して押し出し成型してもよい。また例えば課題を解決するための第一の手段で示した食事用具の材質が木質製または竹製またはその両方の組み合わせの場合は、前記食物保持部端部に前記３分割食物保持部を形成できるように切削装置を介して切削加工してもよい。
また例えば前記４分割食物保持部の形成手段に関しては、例えば課題を解決するための第一の手段で示した食事用具の材質が金属製または貴金属製またはその両方の組み合わせの場合は、前記食物保持部端部に前記４分割食物保持部を形成できるように設計した金型を用いてプレス装置を介してプレス加工してもよい。また例えば課題を解決するための第一の手段で示した食事用具の材質がプラスチック製の場合は、前記食物保持部端部に前記４分割食物保持部を形成できるように設計した金型を用いて押し出し成型装置を介して押し出し成型してもよい。また例えば課題を解決するための第一の手段で示した食事用具の材質が木質製または竹製またはその両方の組み合わせの場合は、前記食物保持部端部に前記４分割食物保持部を形成できるように切削装置を介して切削加工してもよい。【００１７】  課題を解決するための第三の手段（請求項３の内容を含む）は、前記食物保持部の端部には、少なくとも一つの孔部を設けることを特徴とする、請求項１（課題を解決するための第一の手段で示した内容を含む）に記載の飾り付き食事用具を提供することである。【００１８】  課題を解決するための第三の手段で示した前記食物保持部端部には、少なくとも一つの孔部を設けることに関しては、課題を解決するための第一の手段で示した食物保持部に課題を解決するための第一の手段で示した菓子類を所望する分量に切断したりする機能やこの切断片を突き刺したりする機能や突き刺した切断片が口中で離れ易くなる機能を向上させるためであり、前記食物保持部端部の任意部位に少なくとも一つの孔部を形成することで、これらの機能を実現することを本願考案者が見出したものである。なお前記孔部の形状に関しては、任意形状でも構わないが、略円形、略楕円形、略ひょうたん形、前記食物保持部端部の類似形状、などから選択して単独で用いたり組合わせて用いたりしてもよい。【００１９】  課題を解決するための第三の手段で示した前記食物保持部端部に設けた少なくとも一つの孔部、即ち前記食物保持部孔部の形成手段に関しては、例えば課題を解決するための第一の手段で示した食事用具の材質が金属製または貴金属製またはその両方の組み合わせの場合は、前記食物保持部端部の任意部位に課題を解決するための第三の手段で示した孔部を形成できるように設計した金型を用いてプレス装置を介してプレス加工してもよい。また例えば課題を解決するための第一の手段で示した食事用具の材質がプラスチック製の場合は、前記食物保持部端部の任意部位に課題を解決するための第三の手段で示した孔部を形成できるように設計した金型を用いて押し出し成型装置を介して押し出し成型してもよい。また例えば課題を解決するための第一の手段で示した食事用具の材質が木質製または竹製またはその両方の組み合わせの場合は、前記食物保持部端部の任意部位に課題を解決するための第三の手段で示した孔部を形成できるように切削装置を介して切削加工してもよい。【００２０】  課題を解決するための第四の手段（請求項４の内容を含む）は、前記把持部をスプーンの掬い部のように機能するように形成させることを特徴とする、請求項１（課題を解決するための第一の手段で示した内容を含む）から請求項���（課題を解決するための第三の手段で示した内容を含む）のいずれかに記載の飾り付き食事用具を提供することである。【００２１】  課題を解決するための第一の手段で示した食事用具の把持部を本明細書で記述したようなスプーンの掬い部のように機能するように形成させる手段の一つとしては、前記把持部がスプーンの掬い部のように機能するのに、即ち課題を解決するための第一の手段で示した菓子類を必要な分量だけ掬いそのまま保持しながら利用者の口中まで移動させるための手段として以下の手段が考えられる。
（Ａ）例えば、前記把持部に十分な面積を持たせること。ただしこの場合の食事用具の食物保持部端部が本明細書で記述したような把持部として機能できるのに必要な面積を備えることが好ましい。
（Ｂ）また例えば、前記把持部に十分な面積を持たせるために好ましいデザインを課題を解決するための第一の手段で示した植物をイメージさせる装飾の中から選択して単独で用いるか組合わせて用いるのが好ましい。ただしこの場合も前記食事用具の食物保持部端部が本明細書で記述したような把持部として機能できるのに必要な面積を備えることが好ましい。
（Ｃ）また例えば、前記把持部の形状の問題であり、前記把持部の表面が凹状になるように形成させることが好ましい。ただしこの場合も前記食事用具の食物保持部端部が本明細書で記述したような把持部として機能できるのに必要な面積を備えることが好ましい。
（Ｄ）また例えば、上述した、手段（Ａ）、手段（Ｂ）、手段（Ｃ）、を単独で用いてもよいし組合わせて用いてもよい。【００２２】  また例えば、上述した、手段（Ａ）、手段（Ｂ）、手段（Ｃ）、手段（Ｄ）、を実施するための形成手段に関しては、例えば課題を解決するための第一の手段で示した食事用具の材質が金属製または貴金属製またはその両方の組み合わせの場合は、前記食物保持部端部の任意部位に前記手段（Ａ）または（Ｂ）または（Ｃ）または（Ｄ）を形成できるように設計した金型を用いてプレス装置を介してプレス加工してもよい。また例えば課題を解決するための第一の手段で示した食事用具の材質がプラスチック製の場合は、前記食物保持部端部の任意部位に前記手段（Ａ）または（Ｂ）または（Ｃ）または（Ｄ）を形成できるように設計した金型を用いて押し出し成型装置を介して押し出し成型してもよい。また例えば課題を解決するための第一の手段で示した食事用具の材質が木質製または竹製またはその両方の組み合わせの場合は、前記食物保持部端部の任意部位に前記手段（Ａ）または（Ｂ）または（Ｃ）または（Ｄ）を形成できるように切削装置を介して切削加工してもよい。【００２３】  課題を解決するための第五の手段（請求項５の内容を含む）は、前記柄部を十分な長さに形成させることで、前記食事用具がマドラーとして機能することを特徴とする、請求項１（課題を解決するための第一の手段で示した内容を含む）から請求項４（課題を解決するための第四の手段で示した内容を含む）のいずれかに記載の飾り付き食事用具を提供することである。【００２４】  課題を解決するための第五の手段で示した前記柄部を十分な長さに形成させることで、課題を解決するための第一の手段から課題を解決するための第四の手段のいずれかに示した食事用具がマドラーとして機能することに関しては、課題を解決するための第一の手段で示した前記柄部と前記把持部の間に捻りを形成させることで、即ち前記柄部と前記把持部の間に捻り部を設けることで、前記柄部を十分な長さに形成させても前記柄部の強度を保持し、したがって前記食事用具をマドラーとして用いても十分に実用に耐えることを本願考案者が見出し請求項５（課題を解決するための第五の手段で示した内容を含む）の考案に至ったものである。例えば、前記食事用具が本明細書で示したように和菓子用の菓子用楊枝として用いられる場合や和菓子用の菓子用フォークとして用いられる場合や和菓子用の菓子用スプーンとして用いられる場合でも、前記柄部と前記把持部の間に前記捻り部を設けることで前記柄部の長さを、たとえ略２倍程度に伸ばしたとしても前記食事用具をマドラーとして用いることが十分に可能となる。また例えば、前記食事用具が本明細書で示したように洋菓子用の菓子用ピックとして用いられる場合や洋菓子用の菓子用フォークとして用いられる場合や洋菓子用の菓子用スプーンとして用いられる場合でも、前記柄部と前記把持部の間に前記捻り部を設けることで前記柄部の長さを、たとえ略２倍程度に伸ばしたとしても前記食事用具をマドラーとして用いることが十分に可能となる。また例えば、前記食事用具が本明細書で示したようにフルーツ用フォークとして用いられる場合やフルーツ用小型スプーンとして用いられる場合でも、前記柄部と前記把持部の間に前記捻り部を設けることで前記柄部の長さを、たとえ略２倍程度に伸ばしたとしても前記食事用具をマドラーとして用いることが十分に可能となる。また例えば、前記食事用具が本明細書で示したようにアイスクリーム用小型スプーンとして用いられる場合でも、前記柄部と前記把持部の間に前記捻り部を設けることで前記柄部の長さを、たとえ略２倍程度に伸ばしたとしても前記食事用具をマドラーとして用いることが十分に可能となる。また例えば、前記食事用具が本明細書で示したように汎用小型フォークとして用いられる場合や汎用小型スプーンとして用いられる場合でも、前記柄部と前記把持部の間に前記捻り部を設けることで前記柄部の長さを、たとえ略２倍程度に伸ばしたとしても前記食事用具をマドラーとして用いることが十分に可能となる。
【考案の効果】
【００２５】  請求項１（課題を解決するための第１の手段で示した内容を含む）の考案の飾り付き食事用具によれば、前記把持部に形成した装飾が、日本や欧米でも一般的に広範囲に存在しかつ一般的によく知られた植物を選択することで、例えば、桜（花、葉、実）、銀杏（花、葉、実）、葡萄（花、葉、実）、クローバー（花、葉）、薔薇（花、葉）、を選択したとすると、いずれも和風のイメージにも洋風のイメージにも共通なイメージがあるものと判断できることを本願考案者が見出し、一般的な消費者８名にアンケート調査を試みても同様な傾向が見られた。
その結果、前記装飾を設けた把持部を形成させた食事用具を和菓子用に用いても洋菓子用に用いても違和感なく用いることができ、本考案の飾り付き食事用具が和菓子用にも洋菓子用にも兼用で使える食事用具として提供できることが明らかになった。
また上述した考案の効果に加えて、前記装飾を設けた把持部を形成させた食事用具を和菓子用に用いても果物用または水菓子用に用いても違和感なく用いることができ、本考案の飾り付き食事用具が和菓子用にも果物用または水菓子用にも兼用で使える食事用具として提供できることが明らかになった。
また上述した考案の効果に加えて、前記装飾を設けた把持部を形成させた食事用具を洋菓子用に用いても果物用または水菓子用に用いても違和感なく用いることができ、本考案の飾り付き食事用具が洋菓子用にも果物用または水菓子用にも兼用で使える食事用具として提供できることが明らかになった。
また上述した考案の効果に加えて、前記装飾を設けた把持部を形成させた食事用具を和菓子用に用いても氷菓子用に用いても違和感なく用いることができ、本考案の飾り付き食事用具が和菓子用にも氷菓子用にも兼用で使える食事用具として提供できることが明らかになった。
また上述した考案の効果に加えて、前記装飾を設けた把持部を形成させた食事用具を洋菓子用に用いても氷菓子用に用いても違和感なく用いることができ、本考案の飾り付き食事用具が洋菓子用にも氷菓子用にも兼用で使える食事用具として提供できることが明らかになった。【００２６】  請求項２（課題を解決するための第２の手段で示した内容を含む）の考案の飾り付き食事用具によれば、請求項１（課題を解決するための第１の手段で示した内容を含む）に示した飾り付き食事用具の食物保持部の端部に少なくとも一つの切り欠きを設けることによって、例えば和菓子用の食事用具として和風イメージの傾向に形成させた、課題を解決するための第１の手段で示した菓子用楊枝の鋭利部または保持部の端部に少なくとも一つの切り欠きを設けることによって、和風イメージの傾向が比較的軽減され、このまま洋菓子用に用いても違和感を感じないことを本願の考案者が見出し、一般的な消費者８名にアンケート調査を試みても同様な傾向が見られた。したがって、請求項２（課題を解決するための第２の手段で示した内容を含む）の考案の飾り付き食事用具の飾り付き食事用具が和菓子用にも洋菓子用にも兼用で使える食事用具として提供できることが明らかになった。【００２７】  請求項３（課題を解決するための第３の手段で示した内容を含む）の考案の飾り付き食事用具によれば、請求項１（課題を解決するための第１の手段で示した内容を含む）に示した飾り付き食事用具の食物保持部の端部に少なくとも一つの孔部を設けることによって、課題を解決するための第一の手段で示した和菓子類を所望する分量に切断したりする機能が向上し、かつ課題を解決するための第一の手段で示した洋菓子類を所望する分量に切断したりする機能が向上するので、このまま和菓子用に用いても洋菓子用に用いても違和感を感じないことを本願の考案者が見出し、一般的な消費者８名にアンケート調査を試みても同様な傾向が見られた。したがって、請求項３（課題を解決するための第３の手段で示した内容を含む）の考案の飾り付き食事用具の飾り付き食事用具が和菓子用にも洋菓子用にも兼用で使える食事用具として提供できることが明らかになった。【００２８】  請求項４（課題を解決するための第４の手段で示した内容を含む）の考案の飾り付き食事用具によれば、請求項１（課題を解決するための第１の手段で示した内容を含む）から請求項３（課題を解決するための第３の手段で示した内容を含む）のいずれかに記載の飾り付き食事用具の把持部をスプーンの掬い部のように機能するように形成させることによって、和菓子用にも果物用または水菓子用にも兼用で使える食事用具として提供でき、また洋菓子用にも果物用または水菓子用にも兼用で使える食事用具として提供でき、また和菓子用にも氷菓子用にも兼用で使える食事用具として提供でき、また洋菓子用にも氷菓子用にも兼用で使える食事用具として提供できる。【００２９】  請求項５（課題を解決するための第５の手段で示した内容を含む）の考案の飾り付き食事用具によれば、請求項１（課題を解決するための第１の手段で示した内容を含む）から請求項４（課題を解決するための第４の手段で示した内容を含む）のいずれかに記載の飾り付き食���用具の柄部を十分な長さに形成させることによって、例えば和菓子用にも洋菓子用にも兼用で使える食事用具でありながらマドラーとして用いても違和感のない飾り付き食事用具の提供が可能になる。また例えば和菓子用にも果物用または水菓子用にも兼用で使える食事用具でありながらマドラーとして用いても違和感のない飾り付き食事用具の提供が可能になる。また例えば洋菓子用にも果物用または水菓子用にも兼用で使える食事用具でありながらマドラーとして用いても違和感のない飾り付き食事用具の提供が可能になる。また例えば和菓子用にも氷菓子用にも兼用で使える食事用具でありながらマドラーとして用いても違和感のない飾り付き食事用具の提供が可能になる。また例えば洋菓子用にも氷菓子用にも兼用で使える食事用具でありながらマドラーとして用いても違和感のない飾り付き食事用具の提供が可能になる。
【考案を実施するための最良の形態】
【００３０】  以下、本考案の飾り付き食事用具の実施の形態について、図１〜図７に基づいて説明する。図１は本考案の飾り付き食事用具の実施の形態例を示す概略説明図である。図２は本考案の飾り付き食事用具の実施の形態例を示す概略説明図である。図３は本考案の飾り付き食事用具の実施の形態例を示す概略説明図である。図４は図１と図２と図３に示した捻り部の拡大図である。本考案の飾り付き食事用具の実施の形態例を示す概略説明図である。図５は本考案の飾り付き食事用具の実施の形態例を示す概略説明図である。図６は本考案の飾り付き食事用具の実施の形態例を示す概略説明図である。図７は本考案の飾り付き食事用具の実施の形態例を示す概略説明図である。
【実施例１】
【００３１】  まず、図１、図２、図３、図４を用いて、請求項１（課題を解決するための第一の手段で示した内容を含む）の実施の形態例を説明すると、Ａ１０，Ｂ１０，Ａ２０，Ｂ２０は本考案の飾り付き食事用具であり、飾り付き食事用具（Ａ１０，Ｂ１０，Ａ２０，Ｂ２０）は、本明細書で記述した菓子類の中から選択した少なくとも一つを任意の皿状体の上に載置し、この菓子を所望する分量に切断したりする機能や、このとき切断した菓子の切断片を突き刺したりする機能や、この切断した菓子の切断片を本考案の利用者の口の近傍まで掬い上げたりする機能や、この菓子の切断片を本考案の利用者の口中に移動させたりする機能、などから選択した機能やこれらを組合わせた機能を備えた食事用具であり、飾り付き食事用具（Ａ１０，Ｂ１０，Ａ２０，Ｂ２０）の材質は、金属製、貴金属製、プラスチック製、木質製、竹製、などの中から選択して単体で用いたり組合わせて用いたりすることができるがこの実施例では金属製の一体成形物であることを選択する。Ａ１１，Ｂ１１，Ａ２１，Ｂ２１は食物保持部であり、食物保持部Ａ１１は飾り付き食事用具Ａ１０の先端部に設けられ、食物保持部Ｂ１１は飾り付き食事用具Ｂ１０の先端部に設けられ、食物保持部Ａ２１は飾り付き食事用具Ａ２０の先端部に設けられ、食物保持部Ｂ２１は飾り付き食事用具Ｂ２０の先端部に設けられ、夫々が、前記菓子を所望する分量に切断したり、この菓子の切断片を突き刺したり、この突き刺した菓子の切断片を保持したりする機能を備える。Ａ１２，Ｂ１２，Ａ２２，Ｂ２２，は柄部であり、柄部Ａ１２は細長板状であり、食物保持部Ａ１１から所望する長さに延び出たように形成させ、柄部Ｂ１２は細長板状であり、食物保持部Ｂ１１から所望する長さに延び出たように形成させ、柄部Ａ２２は細長板状であり、食物保持部Ａ２１から所望する長さに延び出たように形成させ、柄部Ｂ２２は細長板状であり、食物保持部Ｂ２１から所望する長さに延び出たように形成させる。Ａ１３，Ｂ１３，Ａ２３，Ｂ２３，は把持部であり、把持部Ａ１３は食物保持部Ａ１１に対向する位置に設けられ、かつ柄部Ａ１２の端部に設けられ、前記菓子の切断片を食物保持部Ａ１１を介して本考案の利用者の口中に移動させたりする機能を備え、把持部Ｂ１３は食物保持部Ｂ１１に対向する位置に設けられ、かつ柄部Ｂ１２の端部に設けられ、前記菓子の切断片を食物保持部Ｂ１１を介して本考案の利用者の口中に移動させたりする機能を備え、把持部Ａ２３は食物保持部Ａ２１に対向する位置に設けられ、かつ柄部Ａ２２の端部に設けられ、前記菓子の切断片を食物保持部Ａ２１を介して本考案の利用者の口中に移動させたりする機能を備え、把持部Ｂ２３は食物保持部Ｂ２１に対向する位置に設けられ、かつ柄部Ｂ２２の端部に設けられ、前記菓子の切断片を食物保持部Ｂ２１を介して本考案の利用者の口中に移動させたりする機能を備える。Ａ１４，Ｂ１４，Ａ２４，Ｂ２４は装飾部であり、装飾部Ａ１４は把持部Ａ１３の任意部位に本明細書で記述した植物をイメージさせる装飾になるように設計した金型を介してプレス加工され、装飾部Ｂ１４は把持部Ｂ１３の任意部位に本明細書で記述した植物をイメージさせる装飾になるように���計した金型を介してプレス加工され、装飾部Ａ２４は把持部Ａ２３の任意部位に本明細書で記述した植物をイメージさせる装飾になるように設計した金型を介してプレス加工され、装飾部Ｂ２４は把持部Ｂ２３の任意部位に本明細書で記述した植物をイメージさせる装飾になるように設計した金型を介してプレス加工される。Ａ１８，Ｂ１８，Ａ２８，Ｂ２８は捻り部であり、捻り部Ａ１８の形成手段は柄部Ａ１２と把持部Ａ１３の間の細長板状の短方向に約１度から約３６０度の間の任意の角度に回転させるような形成手段を介して回転角度を設けることであり、この実施例では約９０度の回転角度になるように公知の手段を介して設けるものであり、捻り部Ｂ１８の形成手段は柄部Ｂ１２と把持部Ｂ１３の間の細長板状の短方向に約１度から約３６０度の間の任意の角度に回転させるような形成手段を介して回転角度を設けることであり、この実施例では約９０度の回転角度になるように公知の手段を介して設けるものであり、捻り部Ａ２８の形成手段は柄部Ａ２２と把持部Ａ２３の間の細長板状の短方向に約１度から約３６０度の間の任意の角度に回転させるような形成手段を介して回転角度を設けることであり、この実施例では約９０度の回転角度になるように公知の手段を介して設けるものであり、捻り部Ｂ２８の形成手段は柄部Ｂ２２と把持部Ｂ２３の間の細長板状の短方向に約１度から約３６０度の間の任意の角度に回転させるような形成手段を介して回転角度を設けることであり、この実施例では約９０度の回転角度になるように公知の手段を介して設けるものである。
【実施例２】
【００３２】  次に、図１と図６を用いて、請求項２（課題を解決するための第二の手段で示した内容を含む）の実施の形態例を説明すると、Ａ１５とＢ１５は切り欠きであり、切り欠きＡ１５は食物保持部Ａ１１の先端部から柄部Ａ１２の任意部位までになるように設計された金型を介して一体成形され、切り欠きＢ１５は食物保持部Ｂ１１の先端部から柄部Ａ１２の任意部位までになるように設計された金型を介して一体成形される。Ａ１６とＡ１７は分割食物保持部であり、分割食物保持部Ａ１６と分割食物保持部Ａ１７は切り欠きＡ１５を介しての形成物であり、図６に示すとおり食物保持部Ａ１１の機能を強化するために設けられる。Ｂ１６とＢ１７は分割食物保持部であり、分割食物保持部Ｂ１６と分割食物保持部Ｂ１７は切り欠きＢ１５を介しての形成物であり、図６に示すとおり食物保持部Ｂ１１の機能を強化するために設けられる。
【実施例３】
【００３３】  次に、図２と図３を用いて、請求項３（課題を解決するための第三の手段で示した内容を含む）の実施の形態例を説明すると、Ａ２５とＢ２５は孔部であり、孔部Ａ２５は食物保持部Ａ２１の任意部位に所定形状になるように設計された金型を介して一体成形され、孔部Ｂ２５は食物保持部Ｂ２１の任意部位に所定形状になるように設計された金型を介して一体成形される。孔部Ａ２５または孔部Ｂ２５によって、本明細書で記載された菓子類を所望する分量に切断したりする機能やこの切断片を突き刺したりする機能や突き刺した切断片が口中で離れ易くなる機能が向上する。
【実施例４】
【００３４】  次に、図１、図２、図３、図４、図７を用いて、請求項４（課題を解決するための第四の手段で示した内容を含む）の実施の形態例を説明すると、把持部（Ａ１３，Ｂ１３，Ａ２３，Ｂ２３）を一般的に用いられているスプーンの掬い部のように機能するように形成させることを特徴とする、例えば、把持部（Ａ１３，Ｂ１３，Ａ２３，Ｂ２３）に十分な面積を持たせスプーンの掬い部のように機能するように設計した金型を介してプレス加工をしたり、また例えば、把持部（Ａ１３，Ｂ１３，Ａ２３，Ｂ２３）の表面が凹状になるように設計した金型を介してプレス加工をすることで、例えば図７に示したように本考案の飾り付き食事用具をスプーンとして使えることを示した。
【実施例５】
【００３５】  次に、図２、図３、図５を用いて、請求項５（課題を解決するための第五の手段で示した内容を含む）の実施の形態例を説明すると、Ａ２６は飾り付き食事用具Ａ２０で柄部Ａ２２の長さであり、Ａ２７は飾り付き食事用具Ａ２０で把持部Ａ２３の長さであり、Ｂ２６は飾り付き食事用具Ｂ２０で柄部Ｂ２２の長さであり、Ｂ２７は飾り付き食事用具Ｂ２０で把持部Ａ２３の長さである。例えば図２より柄部長さＡ２６と柄部長さＡ２７の比率が、柄部長さＡ２７を１とすると柄部長さＡ２６が２程度までが本明細書で記載した菓子類の食事用具として妥当であり、柄部長さＡ２６が２以上になるように形成した飾り付き食事用具がマドラーとして利用可能になってくる。また例えば図３より柄部長さＢ２６と柄部長さＢ２７の比率が、柄部長さＢ２７を１とすると柄部長さＢ２６が３以上がマドラーとして妥当であり、柄部長さＢ２６が５程度になるように形成した飾り付き食事用具が、図５に示したとおりマドラーとしての応用が適切であることがわかった。
【実施例６】
【００３６】  次に、図５に示した実施の形態例を説明すると、Ｇは飲料入りのグラスであり、グラスＧに氷などを入れ、次に図３で示した飾り付き食事用具Ｂ２０を入れ、指で抱持した把持部Ａ２３を回転運動させて柄部Ｂ２２を撹拌させることで、飾り付き食事用具Ｂ２０はマドラーとして十分な作用を示した。
【実施例７】
【００３７】  次に、図６に示した実施の形態例を説明すると、Ｋは本明細書の中で記述した菓子類の中から選択した菓子であり、Ｐ１は菓子Ｋを載置した皿状体であり、菓子Ｋに飾り付き食事用具（Ａ１０，Ｂ１０）の食物保持部（Ａ１１，Ｂ１１）を差し入れた状態を示している。
【実施例８】
【００３８】  次に、図７に示した実施の形態例を説明すると、Ｃは飲料を入れたカップであり、Ｐ２はカップＣを載置した皿状体であり、皿状体Ｐ２のカップＣの近傍に飾り付き食事用具Ａ２０を載置した状態を示し、飾り付き食事用具Ａ２０をスプーンの代わりに使えることを示している。【００４０】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００４１】  本考案の飾り付き食事用具は、付加価値が高いので安価な輸入品に対して十分な競争力を備えているので産業上の利用可能性は高いと判断できる。
【図面の簡単な説明】
【００４２】
【図１】本考案の飾り付き食事用具の実施の形態例を示す概略説明図。
【図２】本考案の飾り付き食事用具の実施の形態例を示す概略説明図。
【図３】本考案の飾り付き食事用具の実施の形態例を示す概略説明図。
【図４】図１と図２と図３に示した捻り部の拡大図。
【図５】本考案の飾り付き食事用具の実施の形態例を示す概略説明図。
【図６】本考案の飾り付き食事用具の実施の形態例を示す概略説明図。
【図７】本考案の飾り付き食事用具の実施の形態例を示す概略説明図。
【符号の説明】
【００４３】Ａ１０，Ｂ１０，Ａ２０，Ｂ２０・・飾り付き食事用具
Ａ１１，Ｂ１１，Ａ２１，Ｂ２１・・食物保持部
Ａ１２，Ｂ１２，Ａ２２，Ｂ２２・・柄部
Ａ１３，Ｂ１３，Ａ２３，Ｂ２３・・把持部
Ａ１４，Ｂ１４，Ａ２４，Ｂ２４・・装飾部
Ａ１８，Ｂ１８，Ａ２８，Ｂ２８・・捻り部
Ａ１５，Ｂ１５・・切り欠き
Ａ１６，Ａ１７・・分割食物保持部
Ａ２５，Ｂ２５・・孔部
Ａ２６・・柄部長さ
Ａ２７・・把持部長さ
Ｇ・・グラス
Ｃ・・カップ
Ｋ・・菓子
Ｐ１・・皿状体
Ｐ２・・皿状体
【図１】
0003164335.tif 000003
【図２】
0003164335.tif 000004
【図３】
0003164335.tif 000005
【図４】
0003164335.tif 000006
【図５】
0003164335.tif 000007
【図６】
0003164335.tif 000008
【図７】
0003164335.tif 000009